(57)【要約】【課題】釣り竿自体を光ファイバーで形成し、この基端側に発光ダイオードを取付けることにより、軽量で大きなしなりが得られて、暗い場所でも釣り竿の穂先が発光し、ワカサギなどの小さなアタリを確実に検知することができる釣り竿構造を提供するものである。【解決手段】電動リール１の先端に取付けられる釣り竿２が、光ファイバー３で形成され、この基端部に光ファイバー３を囲むように筒状のジョイント４を取付け、このジョイント４が挿着される電動リール１の先端に形成したジョイント挿着孔７に発光ダイオード８を取付けると共に、これに電源を供給する電池９を取付けて構成され、前記発光ダイオード８を点灯させることにより、光ファイバー３で形成された釣り竿２の先端から発光させるようにしたものである。【選択図】  図１
0003130312.tif 000002
【実用新案登録請求の範囲】
【請求項１】
電動リールや握持杆部の先端に取付けられる釣り竿が、光ファイバーまたは透明なプラスチックで形成され、この基端部を囲むように筒状のジョイントを取付け、このジョイントが挿着される電動リールや握持杆部の先端に形成したジョイント挿着孔に発光ダイオードを取付けると共に、これに電源を供給する電池を取付けて構成され、前記発光ダイオードを点灯させることにより、光ファイバーまたは透明なプラスチックで形成された釣り竿の先端から発光させるようにしたことを特徴とする釣り竿構造。
【請求項２】
釣り竿が光ファイバーまたは透明なプラスチックで形成され、この基端部を囲むように筒状のジョイントを取付け、カートリッジ本体の先端側に、前記ジョイントが挿着される筒状のジョイント挿着部を形成し、後端側に筒状のジョイントを形成すると共に、カートリッジ本体の内側にジョイント挿着部に向けて発光ダイオードを取付け、これに電源を供給する電池を取付けてカートリッジを形成し、このカートリッジのジョイントが挿着される電動リールや握持杆部の先端に、ジョイント挿着孔を形成して構成され、前記カートリッジに内蔵した発光ダイオードを点灯させることにより、光ファイバーまたは透明なプラスチックで形成された釣り竿の先端から発光させるようにしたことを特徴とする釣り竿構造。
【考案の詳細な説明】
【技術分野】
【０００１】
本考案は、ワカサギ釣りなどの小魚を暗い場所で釣る場合に使用する釣り竿構造に関するものである。
【背景技術】
【０００２】
一般にワカサギ釣りは、秋には湖上の屋形船やドーム船、ボート、釣り桟橋、で行なわれ、また冬には氷結した湖上で氷に穴を開けて、ここから釣りをしている。このワカサギ釣りは寒さを避けるため室内やテントの中で行なうことが多く、朝や夕方、曇りや雨の日などの天候条件によっては暗くなり、釣り竿の穂先が見えにくく、ワカサギの小さなアタリを見逃し易い問題があった。
【０００３】
従来、夜間における釣りに用いられる釣り竿としては、先端の穂先を発光させて、微妙な魚のアタリを穂先の動きで感じとる構造のものが開発されている。例えば穂先に蓄光体を取付けたものや、竿本体内に設けた電池と竿先端に取付けた発光ダイオードをリード線で結んで竿先端を発光させる構造のものや、あるいは竿本体内に光ファイバーを通して、穂先に光を散乱させる透明樹脂性の発光部を設けたもの（特許文献１）などがあった。
【０００４】
しかしながら、従来の蓄光体を取付けたものは重く、また電池と竿先端の穂先に取付けた発光ダイオードをリード線で結んだものはリード線に無理な力がかかり、リード線が切れて発光しなくなることがある。また竿本体内に光ファイバーを通したものは、竿本体自体がしなりにくく、ワカサギなどの小魚の小さなアタリを検知することが難しかった。
【特許文献１】実用新案登録第３０２０５７７号
【考案の開示】
【考案が解決しようとする課題】
【０００５】
本考案は上記問題を改善し、釣り竿自体を光ファイバーまたは透明なプラスチックで形成し、この基端側に発光ダイオードを取付けることにより、軽量で大きなしなりが得られて、暗い場所でも釣り竿の穂先が発光し、ワカサギなどの小さなアタリを確実に検知することができる釣り竿構造を提供するものである。
【課題を解決するための手段】
【０００６】
本考案の請求項１記載の釣り竿構造は、電動リールや握持杆部の先端に取付けられる釣り竿が、光ファイバーまたは透明なプラスチックで形成され、この基端部を囲むように筒状のジョイントを取付け、このジョイントが挿着される電動リールや握持杆部の先端に形成したジョイント挿着孔に発光ダイオードを取付けると共に、これに電源を供給する電池を取付けて構成され、前記発光ダイオードを点灯させることにより、光ファイバーまたは透明なプラスチックで形成された釣り竿の先端から発光させるようにしたことを特徴とするものである。
【０００７】
本考案の請求項２記載の釣り竿構造は、釣り竿が光ファイバーまたは透明なプラスチックで形成され、この基端部を囲むように筒状のジョイントを取付け、カートリッジ本体の先端側に、前記ジョイントが挿着される筒状のジョイント挿着部を形成し、後端側に筒状のジョイントを形成すると共に、カートリッジ本体の内側にジョイント挿着部に向けて発光ダイオードを取付け、これに電源を供給する電池を取付けてカートリッジを形成し、このカートリッジのジョイントが挿着される電動リールや握持杆部の先端に、ジョイント挿着孔を形成して構成され、前記カートリッジに内蔵した発光ダイオードを点灯させることにより、光ファイバーまたは透明なプラスチックで形成された釣り竿の先端から発光させるようにしたことを特徴とするものである。
【考案の効果】
【０００８】
本考案に係る請求項１記載の釣り竿構造によれば、釣り竿が、光ファイバーまたは透明なプラスチック自体で形成され、この基端部に発光ダイオードを取付けて、光ファイバーまたは透明なプラスチックの先端から発光させるようにしたので、暗い場合には、電動リールに発光ダイオードを点灯させて先端の穂先で発光させることにより小さなアタリを見逃すことなく、タイミング良くリールを巻きあげて釣り上げることができる。また、釣り竿は光ファイバーまたは透明なプラスチック自体で形成されているので、軽量でしなやかに曲がり、またアタリの感度が極めて良い上に、穂先に発光部が設けられているので微妙なアタリも検知することができる。
【０００９】
本考案に係る請求項２記載の釣り竿構造によれば、カートリッジ本体の先端側に、ジョイント挿着部が設けられ、後端側に筒状のジョイントを設けると共に、カートリッジ本体の内側には、発光ダイオードを内蔵したので、このカートリッジの先端に釣り竿を取付け、後端を市販の電動リールに簡単に取り付けることができる。
【考案を実施するための最良の形態】
【００１０】
以下本考案の実施の一形態を、図１を参照して詳細に説明する。図において１は電動リールで、２は釣り竿で、この釣り竿２は１本の光ファイバー３で形成され、この基端部に光ファイバー３を囲むように筒状のジョイント４が取付けられている。また光ファイバー３の長手方向に沿って複数個の釣り糸通しリング５が取付けられている。
【００１１】
また電動リール１の先端には、前記筒状のジョイント４が挿着されるジョイント挿着孔７が形成されている。また電動リール１の内側には、ジョイント挿着孔７の後部に向けて発光ダイオード８が取付けられ、更にこれに電源を供給する電池９が内蔵されている。また１０はリールで、図示しないモータに接続されて回転し、釣り糸１２を自動的に巻き取るようになっている。なお図において１３は釣り針である。
【００１２】
上記構成の釣り竿構造を用いてワカサギ釣りをする場合、先ず光ファイバー３で形成された釣り竿２の後端側に取付けたジョイント４を、電動リール１の先端に形成したジョイント挿着孔７に挿着する。電動リール１のリール１０から繰り出した釣り糸１２を、釣り糸通しリング５に通してその先端に釣り針１３を取付ける。この後、釣り糸１２を氷に開けた図示しない穴から垂らしてリール１０から繰り出し、所定の水深の所で止めてアタリを待つ。
【００１３】
この時、室内やテントの中、あるいは朝や夕方、曇りや雨の日などの暗い場合には、電動リール１に取付けた図示しないスイッチを入れて、電池９から電源を発光ダイオード８に供給して点灯させる。発光ダイオード８はジョイント挿着孔７の後部に向けて取付けられているので、光りは釣り竿２を構成する光ファイバー３を通って先端の穂先で散乱して発光する。
【００１４】
この先端の発光部１４を見ながら釣りをすると、小さなアタリを見逃すことなく、タイミング良くリール１０を巻きあげてワカサギを釣り上げることができる。また、釣り竿２は光ファイバー自体で形成されているので、軽量でしなやかに曲がり、またアタリの感度が極めて良い上に、穂先に発光部１４が設けられているので微妙なアタリも検知することができる。また釣り竿２が光ファイバー３で形成され、発光ダイオード８や電池９はケース内に収納されているので防水構造も確実である。
【００１５】
図２は本考案の他の実施の形態を示すもので、上部側を短い光ファイバー３で形成し、下部側を長い光ファイバー３で形成し、これらの基端側を束ねて、ここを囲むように筒状のジョイント４を取付けた釣り竿２である。
【００１６】
この釣り竿構造は、電動リール１に取付けた図示しないスイッチを入れて、電池９から電源を発光ダイオード８に供給すると、ここから発光する。発光ダイオード８はジョイント挿着孔７の後部に向けて取付けられているので、光りは釣り竿２を構成する２本の光ファイバー３を通って、それぞれの穂先の発光部１４、１４で発光する。
【００１７】
ワカサギが釣り針１３に掛かると、その重量が穂先に加わるが、重量の多くは上部側の短い光ファイバー３で支持され、下部側の長い光ファイバー３は少ない力で大きく撓むのでしなやかに曲がり、穂先を上下に揺動させる合わせの動作が自然であり、またアタリの感度が極めて良く、復元性に優れているので微妙なアタリも検知することができる。
【００１８】
図３および図４は本考案の他の実施の形態を示すもので、１６はカートリッジで、これはカートリッジ本体１７の先端側に、ジョイント４が挿着されるパイプで形成された筒状のジョイント挿着部７が設けられ、後端側に筒状のジョイント４ａが設けられている。更にカートリッジ本体１７の内側には、前記ジョイント挿着部７の後部に向けて発光ダイオード８が取付けられていると共に、これに電源を供給する電池９が取付けられている。
【００１９】
この釣り竿構造は、電動リール１のジョイント挿着孔７にカートリッジ１６のジョイント４ａを挿着し、先端側のジョイント挿着孔７に、上部側を短い光ファイバー３で形成し、下部側を長い光ファイバー３で形成し、これらの基端側を束ねて、ここを囲むように筒状のジョイント４を取付けた釣り竿２のジョイント４を挿着する。
【００２０】
暗い場合には、カートリッジ１６に取付けた図示しないスイッチを入れて、電池９から電源を発光ダイオード８に供給すると、ここから発光する。発光ダイオード８はジョイント挿着孔７の後部に向けて取付けられているので、光りは釣り竿２を構成する光ファイバー３、３を通って先端の穂先で散乱して発光する。従って、この構造では、市販の電動リール１に簡単に取り付けることができる。
【００２１】
なお上記説明では釣り竿を光ファイバーで形成したものについて説明したが、アクリルや、ＰＥＴ、塩化ビニール、ポリエチレン、ナイロンなどの光を透過する透明なプラスチックで形成したものでも良い。また釣り竿構造は、電動リール１の先端に取付けた場合について説明したが、手動リールを設けた握持杆部に取付けても良い。
【００２２】
また発光ダイオード８は、白色光に限らず、赤色光や黄色光など任意の色に発光するものを用いることができる。また上記説明では、ワカサギ釣の場合について説明したが、ハゼやキスなどの他の小魚を釣る場合にも使用することができる。
【図面の簡単な説明】
【００２３】
【図１】本考案の実施の一形態による釣り竿構造を示す断面図である。
【図２】本考案の他の実施の形態による光ファイバーを２本重ねた釣り竿構造の断面図である。
【図３】本考案の他の実施の形態によるカートリッジを示す断面図である。
【図４】図３に示すカートリッジを取付けた釣り竿構造を示す断面図である。
【符号の説明】
【００２４】
１    電動リール                                            
２    釣り竿                                                
３    光ファイバー                                          
４、４ａ  ジョイント                                        
５    釣り糸通しリング                                      
７    ジョイント挿着孔                                      
８    発光ダイオード                                        
９    電池                                                  
１０  リール                                                
１２  釣り糸                                                
１３  釣り針                                                
１４  発光部                                                
１６  カートリッジ                                          
１７  カートリッジ本体                                      
【図１】
0003130312.tif 000003
【図２】
0003130312.tif 000004
【図３】
0003130312.tif 000005
【図４】
0003130312.tif 000006